(57)【特許請求の範囲】
【請求項１】
本体枠に開閉可能に取り付けられ、透明板を保持可能な透明板保持枠が備えられ、前記透明板を介して前記本体枠に取り付けられる遊技盤を視認可能な遊技機において、
前記透明板保持枠は、前記遊技盤の遊技領域を囲むように中央開口部を有する合成樹脂製の本体部と、
前記本体部に取り付けられ、電気部品が実装された回路基板と、
前記本体部に取り付けられ、該本体部を補強する金属製の補強部材と、
前記回路基板と前記補強部材との間に介在させ、前記補強部材から前記回路基板へ飛来する静電気を遮断する絶縁部材とで構成され、
前記絶縁部材は、回路基板から延出される配線を結束するための結束部を一体に備え、
前記結束部は、絶縁部材から突出する、先端を突出係合部とした結束本体部と、
該結束本体部に近接して設けられ、前記突出係合部が係合される係合孔とからなり、
前記突出係合部を前記係合孔に係合させて、前記結束本体部と、前記絶縁部材とによって配線収容空間を形成することにより、回路基板から延出される配線を結束可能としたことを特徴とする遊技機。
【請求項２】
絶縁部材はシート状であることを特徴とする請求項１に記載の遊技機。
【請求項３】
絶縁部材は、裏側が視認可能な透明樹脂からなることを特徴とする請求項１又は２に記載の遊技機。
【請求項４】
本体部の裏面側に取り付けられ、透明板を着脱可能に嵌装する透明板取付枠を備え、
前記透明板取付枠は、
前記本体部の回動軸側の裏面側で、遊技機の高さ方向にわたって備えられる回動軸側取付枠と、
前記本体部の開放側の裏面で、遊技機の高さ方向にわたって備えられる開放側取付枠と、
前記本体部の下部分側に備えられる下部分側取付枠とで構成され、
上方を開放し、前記透明板保持枠の上方から透明板を着脱可能に嵌装する透明板嵌装可能部を有しており、
前記回動軸側取付枠と開放側取付枠の間隔は、
透明板を前記透明板嵌装可能部の上方から前記開放側取付枠に沿って嵌装するとともに、前記下部分側取付枠に沿って前記透明板取付枠に対して平行移動させ、前記回動軸側取付枠に当接させることにより透明板取付位置に取り付けるための移動空間を確保して構成されており、
前記透明板取付枠は、遊技機の高さ方向における中心位置に移動補助部材用貫通孔を備え、
前記移動補助部材用貫通孔には、開放側から回動軸側に向けて移動可能な移動補助部材が配設され、
前記透明板は、前記移動補助部材を開放側から回動軸側へと移動させることにより、回動軸側の透明板取付位置へと押圧移動させられることを特徴とする請求項１乃至３のいずれかに記載の遊技機。

【発明の詳細な説明】
【技術分野】
【０００１】
本発明は、弾球遊技機（いわゆるパチンコ機）、回胴式遊技機（いわゆるパチスロ機）などの遊技機、詳しくは、透明板を保持可能な透明板保持枠を備えた遊技機に関する。
【背景技術】
【０００２】
例えばパチンコ機には、透明板、例えば透明なガラス板を保持する透明板保持枠を、遊技機の前面側に開閉可能に備えている。
この透明板保持枠は、通常樹脂製であったため、その剛性を確保するために裏面側に金属製の補強部材を備えている（例えば特許文献１を参照。）。
【０００３】
そして従来このような遊技機には、ランプやＬＥＤ等の電気部品が実装された回路基板が、透明板保持枠の裏面側に取り付けられており、演出や遊技に必要な動作が行われている。
【特許文献１】特開平１０−０９４６５０号公報
【発明の開示】
【発明が解決しようとする課題】
【０００４】
しかし、透明板保持枠の大きさの関係上、補強部材と回路基板が近接してしまうという制約を受け易い。そのため、補強部材に帯電した静電気が回路基板へと飛来し、誤作動などの悪影響を受け易い環境にある。
【０００５】
本発明は、このような問題を解決するためになされており、その目的とするところは、透明板保持枠の剛性を確保しつつ、静電気による影響を受けずに、電気部品の動作を円滑に行わせることの可能な遊技機を提供することである。
【課題を解決するための手段】
【０００６】
このような目的を達成するために、第１の発明は、本体枠Ａに開閉可能に取り付けられ、透明板４を保持可能な透明板保持枠３が備えられ、前記透明板４を介して前記本体枠Ａに取り付けられる遊技盤を視認可能な遊技機において、前記透明板保持枠３は、前記遊技盤の遊技領域を囲むように中央開口部１１ａを有する合成樹脂製の本体部（装飾パネル１１，ベースパネル３１）１０と、前記本体部（装飾パネル１１）１０に取り付けられ、電気部品（ＬＥＤ）が実装された回路基板１５と、前記本体部（ベースパネル３１）１０に取り付けられ、該本体部（装飾パネル１１，ベースパネル３１）１０を補強する金属製の補強部材３２と、前記回路基板１５と前記補強部材３２との間に介在させ、前記補強部材３２から前記回路基板１５へ飛来する静電気を遮断する絶縁部材１６とで構成され、前記絶縁部材１６は、回路基板１５から延出される配線３０を結束するための結束部２４を一体に備え、前記結束部２４は、絶縁部材１６から突出する、先端を突出係合部２７とした結束本体部２５と、該結束本体部２５に近接して設けられ、前記突出係合部２７が係合される係合孔２８とからなり、前記突出係合部２７を前記係合孔２８に係合させて、前記結束本体部２５と、前記絶縁部材１６とによって配線収容空間２９を形成することにより、回路基板１５から延出される配線３０を結束可能としたことを特徴とする遊技機としたことである。
【０００７】
本発明によれば、絶縁部材１６によって静電気が帯電した金属製の補強部材３２から回路基板１５へ飛来する静電気を遮断する。よって、透明板保持枠３を効果的に補強するとともに、静電気の影響を受けずに電気部品の動作を円滑に行わせることができる。
【０００８】
第２の発明は、第１の発明において、絶縁部材１６はシート状であることを特徴とする遊技機としたことである。
本発明によれば、絶縁部材１６をシート状としたので、絶縁部材１６の配置スペースを抑制できる。よって、透明板保持枠３の設計上の制約が緩和される。
【０００９】
第３の発明は、第１又は第２の発明において、絶縁部材１６は、裏側が視認可能な透明樹脂からなることを特徴とする遊技機としたことである。
本発明によれば、絶縁部材１６を取り外すことなく、回路基板１５あるいは補強部材３２の状態が確認でき、メンテナンス性に優れる。
【００１０】
第４の発明は、第１乃至第３のいずれかの発明において、本体部の裏面側に取り付けられ、透明板を着脱可能に嵌装する透明板取付枠を備え、前記透明板取付枠は、前記本体部の回動軸側の裏面側で、遊技機の高さ方向にわたって備えられる回動軸側取付枠と、前記本体部の開放側の裏面で、遊技機の高さ方向にわたって備えられる開放側取付枠と、前記本体部の下部分側に備えられる下部分側取付枠とで構成され、上方を開放し、前記透明板保持枠の上方から透明板を着脱可能に嵌装する透明板嵌装可能部を有しており、前記回動軸側取付枠と開放側取付枠の間隔は、透明板を前記透明板嵌装可能部の上方から前記開放側取付枠に沿って嵌装するとともに、前記下部分側取付枠に沿って前記透明板取付枠に対して平行移動させ、前記回動軸側取付枠に当接させることにより透明板取付位置に取り付けるための移動空間を確保して構成されており、前記透明板取付枠は、遊技機の高さ方向における中心位置に移動補助部材用貫通孔を備え、前記移動補助部材用貫通孔には、開放側から回動軸側に向けて移動可能な移動補助部材が配設され、前記透明板は、前記移動補助部材を開放側から回動軸側へと移動させることにより、回動軸側の透明板取付位置へと押圧移動させられることを特徴とする遊技機としたことである。
【発明の効果】
【００１２】
本発明によれば、透明板保持枠の剛性を確保しつつ、静電気による影響を受けずに、電気部品の動作を円滑に行わせることの可能な遊技機を提供することができる。
【発明を実施するための最良の形態】
【００１３】
以下、本発明の一実施形態について説明する。なお、本実施形態は本発明の一例にすぎずなんらこれに限定解釈されるものではなく、本発明の範囲内で設計変更可能である。
【実施例１】
【００１４】
本実施例では、本発明を適用する遊技機の一例として図に示す形態の弾球遊技機（パチンコ機ともいう）をもって説明する。
図１は、本発明を適用した弾球遊技機の一例を示す概略斜視図で、図２は透明板保持枠の背面図、図３は透明板保持枠の背面側から見た分解斜視図、図４は回路基板と補強部材との関係を示すため、装飾パネル裏面の回路基板背面に補強部材を配し、絶縁部材を備えていない状態の背面図、図５は装飾パネルに備えた回路基板の背面に絶縁部材を配設した状態の背面図、図６は絶縁部材の部分拡大図である。
【００１５】
弾球遊技機は、外枠１と内枠（ベースドア）２にて構成された遊技機本体枠（以下、単に本体枠という）Ａを備え、図１に示すように、外枠１の前面に内枠２が回動自在に軸支され、該内枠２の前面側には、遊技盤ベースに始動入賞口や遊技釘などの種々の遊技部材を備えて構成した図示しない遊技盤が着脱自在に装着され、該遊技盤の背面には図示しない表示装置が着脱自在に装着されている。なお、表示装置は特に限定されず本発明の範囲内で設計変更可能である。また、表示装置を備えない遊技機であっても本発明の範囲内である。
【００１６】
そして、前記内枠２の前面には、図１に示すように、ガラス板などの透明板４を嵌めた透明板保持枠（フロント扉）３が前記内枠２の前面側の一側を回動軸（ヒンジ部）９として回動自在に軸支され、該透明板保持枠３の閉鎖時には、該透明板保持枠３の前側から透明板４を介して前記遊技盤が視認される。
また、本実施例では、図１に示すように、前記透明板保持枠３の配設位置よりも上方の内枠２の前面に、音による演出装置としてのスピーカ７が備えられている。
【００１７】
そして、前記透明板保持枠３を軸支した内枠２の前面下部には、後述する遊技球供給皿５満杯時に遊技球受入口５ａの内方で溢れ出た球を排出する下皿排出口６ａを有する下皿６が備えられている。
また、図１で示す符号８は、遊技球を遊技領域へ向けて発射する発射装置のハンドルで、該ハンドル８のレバー８ａを時計回り方向に回転させることにより発射停止スイッチがONとなり、駆動する図示しない発射ソレノイド駆動により槌先が作動して、遊技球供給皿５から供給された遊技球を叩打して遊技球を遊技盤に備えられた遊技領域に打ち出す。
【００１８】
前記透明板保持枠３は、例えば図２及び図３に示すように、前記図示しない遊技盤の遊技領域を囲むように中央開口部１１ａを有する合成樹脂製の本体部（装飾パネル１１とベースパネル３１とで構成される）１０と、該本体部１０を構成する装飾パネル１１の裏面側に取り付けられ、電気部品が実装された回路基板１５と、前記本体部１０を構成するベースパネル３１の前面側に取り付けられ、該本体部（装飾パネル１１とベースパネル３１とで構成される）１０を補強する金属製の補強部材３２と、前記回路基板１５と前記補強部材３２との間に介在させた絶縁部材１６と、本体部１０を構成するベースパネル３１の裏面側に取り付けられる透明板取付枠３８の複数の構成要素からなっている。
【００１９】
装飾パネル１１は、前面の下方領域に遊技球供給皿（上皿）５が配設されるともに、その上方には遊技盤の遊技領域が臨む（遊技領域を囲む）中央開口部１１ａが備えられた正面視矩形状に形成され、前面の所定領域には装飾部（光による演出装置）１３が備えられている。
なお、前記中央開口部１１ａの形状は、遊技盤の遊技領域が臨む開口形状を有するものであれば特に限定されず本発明の範囲内で設計変更可能である。
【００２０】
遊技球供給皿（上皿）５は、前記装飾パネル１１の前面下部に取り付けられ、図示しない払出装置から払い出された遊技球が遊技球受入口５ａから供給されるとともに、発射装置へと遊技球を供給する。遊技球供給皿５の構成も特に限定されない。
【００２１】
装飾部１３は、前記装飾パネル１１の前面で中央開口部１１ａの側面位置に備えられる光による演出装置としてのランプ飾り（レンズ）１４で、本体枠Ａ側に備えられる図示しない制御基板（サブＣＰＵ）によって作動が制御される回路基板１５を装飾パネル１１の裏面側に有している。ランプ飾り１４の外観形状は特に限定されず本発明の範囲内で設計変更可能である。
回路基板１５は、ランプ飾り１４を介して光による演出をするＬＥＤ（Light Emitting Diode  発光ダイオード）などの図示しない電気部品を実装し、前記装飾パネル１１の裏側に一個乃至複数個備えられている。
【００２２】
絶縁部材１６は、裏側が視認可能な透明樹脂、例えばＰＣ（Polycarbonate  ポリカーボネイト）やＰＥＴ（Polyethyleneterephthalate  ポリエチレンテレフタレート）などからなる軟質透明な薄いシート状に形成され、装飾パネル１１の裏面側に備えた前記回路基板１５と、後述する補強部材３２との間に介在している。
なお、本実施例では、絶縁部材１６が透明なシートであることを便宜上表現するために、図面上、絶縁部材１６を斜線で示すとともに、該絶縁部材１６下位に回路基板１５が見える状態としている（図２及び図５）。
【００２３】
絶縁部材１６は、装飾パネル１１の裏面側で、少なくとも前記回路基板１５を覆い隠す形状をもって配設されているものであれば良く、例えば本実施例では、図３及び図５に示すように、両側の縦辺部１７，１８と、該両側の縦辺部１７，１８の下端間を一体に連結する下辺部１９とで構成され、装飾パネル１１の中央開口部１１ａを囲むように形成されている上辺部２０のみ所定領域で切り欠いた正面視略矩形状とし、前記装飾パネル１１の裏側に所定のビスなどを用いて直接固定されている。なお、本実施例では、絶縁部材１６の所定個所に、ボス用の開口２１、ヒンジピン装着個所用の切り込み２２、コネクタ用の開口２３などが設けられている。
【００２４】
なお、絶縁部材１６は、少なくとも装飾パネル１１の裏側に配設される回路基板１５を覆い隠す形状を有しているものであれば全て本発明の範囲内であり、例えば本実施例において、両側の縦辺部１７，１８の下端間に配されている下辺部１９を備えない形態であってもよい。また、縦辺部１７，１８と下辺部１９が夫々別個独立して形成され、夫々がビスなどで個別に固定される構成であってもよい。なお、上辺部２０は切り欠かず全体が矩形状に形成された絶縁部材としたものであってもよい。
また、本発明において絶縁部材１６の厚さを表現する「シート状」とは、薄肉であるとの意味合いを有するに過ぎず、その薄肉の程度は特に限定されず、いわゆる「フィルム状」の概念も含まれるものである。さらに、本実施例では、軟質のものをもって説明したが、硬質シート状であってもよく、本発明の範囲内である。
【００２５】
さらに本実施例では、図２，図３，図５及び図６に示すように、前記絶縁部材１６の所定箇所に、回路基板１５から延出される配線３０を結束するための結束部２４を一体に備えている。
【００２６】
本実施例の結束部２４は、図６に示すように、絶縁部材１６を構成している下辺部１９に２箇所備えている。結束部２４は、絶縁部材１６から突出する、先端を突出係合部２７とした結束本体部２５と、該結束本体部２５に近接して設けられ、前記突出係合部２７が係合される係合孔２８とからなり、前記突出係合部２７を前記係合孔２８に係合させて、前記結束本体部２５と、前記絶縁部材１６とによって配線収容空間２９を形成することにより、回路基板１５から延出される配線３０を結束可能としている。
【００２７】
結束本体部２５は、絶縁部材１６を構成している中央開口部１１ａ寄りの下辺部上縁１９ａを下縁１９ｂ方向に所定領域をもって切り欠いた切欠部１９ｃの略中央部から一体に立ち上げた縦長矩形板状の突出片２６と、該突出片２６の先端に一体に備えた正面視略台形状の突出係合部２７とで構成されている。
なお、本実施例の突出係合部２７は、図６（ｃ）に示すように、突出片２６の先端から一体に延出された底辺２７ａの底辺幅Ｙ１が、該突出片２６の横方向幅Ｙ２よりも広く形成されて係合片２７ｂが形成されている。
【００２８】
係合孔２８は、下辺部１９に形成された切欠部１９ｃよりも下縁１９ｂ寄りの絶縁部材１６に穿設されており、図６（ｃ）（ｄ）に示すように、その係合孔２８の縦方向幅Ｘ１は、前記結束本体部２５が通過可能な幅で、横方向幅Ｙ３は、前記突出係合部２７の底辺幅Ｙ１よりも狭い幅で構成されている細幅矩形状の孔形状としている。
【００２９】
すなわち、結束本体部２５を係合孔２８に係合させるには、結束本体部２５の突出片２６を前記係合孔２８方向へと湾曲させるとともに、先端の突出係合部２７の係合片２７ｂを、その弾性に抗して折り曲げた状態で係合孔２８に通過させる。そして突出係合部２７が係合孔２８を通過した後に、前記係合片２７ｂに掛かっていた弾性に抗する力を解除すれば、係合片２７ｂが係合孔２８に係合される（図６（ａ）乃至（ｄ）参照）。このように係合された状態となった際に、配線収容空間２９が形成され、該配線収容空間２９には、回路基板１５から延出される所定本数の配線３０が結束される（図６（ａ）乃至（ｄ）参照）。
【００３０】
ベースパネル３１は、前記装飾パネル１１と同様に、遊技盤の遊技領域が臨む（遊技領域を囲む）中央開口部３１ａが備えられた正面視矩形状に形成されている。なお、本実施例においてベースパネル３１の中央開口部３１ａは、図２及び図３に示すように、前記装飾パネル１１の中央開口部１１ａよりも大口径に形成されている。
【００３１】
補強部材３２は、前記本体部１０を構成する装飾パネル１１とベースパネル３１との間に配設され、本実施例ではベースパネル３１の前面の回動軸９側（図２にて向かって右側）に取り付けられる回動軸側の補強部材３３と、開放側３４（図２にて向かって左側）に取り付けられる開放側の補強部材３５とで構成されている。
【００３２】
回動軸側の補強部材３３は、ベースパネル３１の高さ方向長さと略同一長さを有する金属材料をもって長尺細板に形成され、その上端に回動軸９となるヒンジピン３６を上下方向に移動可能に配設する取付部材３７が一体に備えられている。そして、該取付部材３７を装飾パネル１１側に向けて補強部材３３がベースパネル３１の前面側に取り付けられる。
【００３３】
開放側の補強部材３５は、同軸上に配した長尺細板部３５ａと短尺細板部３５ｂと、該長尺細板部３５ａと短尺細板部３５ｂとの間に一体に備えられ、図示しない施錠装置を回避する湾曲板部３５ｃで長尺に形成され、ベースパネル３１の高さ方向長さと略同一長さに全体金属材料をもって形成されている。
【００３４】
前記各補強部材３３，３５は、透明板保持枠３を補強可能な程度に強度を有するものであればその材質に特に限定されるものではなく、また横方向の幅もベースパネル３１の側部構成に応じて大小設計変更可能である。
なお、本実施例では回動軸側の補強部材３３に、回動軸９を構成する取付部材３７を一体に備える一実施形態を開示したが、取付部材３７は補強部材３３と別体に成形されたものであってもよく、また取付部材３７の構成も図示例に限定されるものではない。
【００３５】
透明板取付枠３８は、前記ベースパネル３１の裏面に一体に突設し、例えばガラス板などの透明板４を着脱可能に嵌装する構成を有している。例えば、その一実施形態を説明すると、端部を開放した二本の平行なレール部３９ａ・３９ａ，４０ａ・４０ａ，４１ａ・４１ａ（スライド溝部）を、枠内面側にてベースパネル３１の高さ方向にわたる連続した溝形状に構成されている。
【００３６】
例えば本実施例においては、ベースパネル３１裏面の回動軸９側に突出して遊技機の高さ方向にわたって備えた樹脂製の回動軸側取付枠３９と、ベースパネル３１裏面の開放側３４に突出して遊技機の高さ方向にわたって備えた樹脂製の開放側取付枠４０と、ベースパネル３１裏面の下部分側に突出して備えた金属製の下部分側取付枠４１とで構成されているとともに、透明板保持枠３の上部分（図２にて、透明板保持枠３の裏側から見て正面視上側）を開放することにより透明板嵌装可能部４２を構成している。
なお、本実施例では、回動軸９側と開放側３４の取付枠３９，４０を樹脂材で、下部分の取付枠４１を金属材で形成するものとしているが特に限定されず、開放側の取付枠４０を金属製としてもよい。
【００３７】
そして、本実施例では、図２に示すように、前記開放側取付枠４０の側面４０ｂ（レール部４０ａの背面）長さ方向の略中心位置に、移動補助部材４４が横方向（水平方向）に摺動可能に挿入配設する移動補助部材用貫通孔４３が外面側から内面側に貫通して設けられている。
前記移動補助部材４４は、図２に示すように、開放側取付枠４０に設けられた移動補助部材用貫通孔４３に、横方向にスライド可能（開放側３４から回動軸９側に向けてスライド可能）に備えられており、透明板嵌装可能部４２から嵌装した透明板４（図２では透明板４を図示省略）を、回動軸９側の透明板取付位置４５へと押圧して摺動移動させる。
また、本実施例では、特に図示しないが二枚のガラス板４，４が前後に所定の間隔をあけて夫々着脱可能に透明板取付枠３８に保持されている。なお、透明板４の配設枚数は本実施例になんら限定解釈されるものではなく、単数枚若しくは二枚以上であってもよい。
【００３８】
従って、本実施例１によれば、装飾パネル１１の裏面に備えられるＬＥＤを実装した回路基板１５と、ベースパネル３１の前面に備えられ、前記回路基板方向に対向する金属製の補強部材３２（３３，３５）との間に、ＰＣやＰＥＴなどからなる軟質透明な薄肉シート状の絶縁部材１６を配設したため、補強部材３２に静電気が帯電しても、該補強部材３２から回路基板１５へと静電気が飛来する虞がなくなる。
また、本実施例１では、絶縁部材１６として裏側が視認可能な透明シートをもって構成しているため、この絶縁部材１６を配設した状態のままで、回路基板１５や補強部材３２の状態が確認できる。また薄いシート状としたので透明板保持枠３の設計上の制約が受け難くなる。
また、軟質シートをもって構成しているため、取付作業性に優れている。
さらに本実施例１によれば、絶縁部材１６の所定個所に、回路基板１５から延出される配線３０を結束する結束部２４を一体に備えたため、透明板保持枠３裏側にて配線３０を効果的に整然と廻すことができるとともに、絶縁部材１６と一体であるため製造コストの低減が図れる。また、結束部構造が上述したとおりの簡単な構成であるため、簡易な作業で配線の結束が成し得る。
「変形例１」
【００３９】
ここで、特に図示はしないが前記実施例１の変形例１を説明する。
絶縁部材１６は、上述の実施例１で開示したＰＣやＰＥＴに限定されるものではなく、静電気の飛来を抑制できる素材であれば本発明の範囲内で設計変更可能である。
また前記実施例１では、絶縁部材１６としてシート状に形成されたものを、回路基板１５と補強部材３２との間に配設する構成をもって説明したが、本発明において絶縁部材１６はシート状に限定されるものではない。また、回路基板１５自体を包み込むように覆う形状に絶縁部材を形成してもよく、また補強部材３２の外面全体を絶縁部材で包み込むように覆う形態を採用することも可能で、また補強部材３２の外面全域に絶縁素材からなるコーティング材を塗布することにより、回路基板１５と補強部材３２との間に絶縁部材を介在させる形態とすることも可能である。
【００４０】
また、実施例１では、電気部品としてＬＥＤを開示しているが、電気部品としては本実施例に開示のＬＥＤに限らず、モータやソレノイドなどの駆動装置や、カードユニットの操作パネルなどであっても良い。
【００４１】
さらに、実施例１では、結束部２４を備えているが、このような結束部２４を備えない形態であってもよいことはいうまでもない。また、本実施例で図示説明する結束本体部２５、係合孔２８及び配線収容空間２９は、本発明の一実施例にすぎず何等これに限定解釈されるものではなく、回路基板１５から延出される配線３０を結束して煩雑さを解消可能な構成を有するものであれば本発明の範囲内である。例えば、絶縁部材１６の下辺部１９に一個だけ、あるいは３個以上設けてもよく、また下辺部１９の長手方向一杯に延設されてなる長尺状のものであってもよい。また、配設個所は下辺部１９に限らず、両縦辺部１７，１８の双方若しくは一方に設けても良い。また、上辺部２０に設けるものであってもよい。
また、実施例１では、結束部２４を絶縁部材１６と一体に形成している実施の一例を説明したが、結束部２４は、絶縁部材１６と別体に形成されており、絶縁部材の所定箇所に着脱自在に取り付け固定する構成であってもよい。
【００４２】
なお、実施例１では、本発明の一実施例として弾球遊技機をもって説明したが、本発明は弾球遊技機に適用される他、回胴式遊技機（いわゆるパチスロ機）や業務用ゲーム機などにも適用可能である。
【図面の簡単な説明】
【００４３】
【図１】本発明遊技機の一実施形態を示す正面斜視図。
【図２】透明板保持枠の背面図。
【図３】透明板保持枠の裏側から見た状態の分解斜視図。
【図４】回路基板と補強部材との関係を示すため、回路基板を備えた装飾パネルの裏側に、補強部材を配した状態を図示した斜視図。
【図５】装飾パネルの裏側に備えた回路基板上を覆うように絶縁部材を備えた状態の背面図。
【図６】絶縁部材に一体に備えた結束部を示す概略図で、（ａ）は結束部によって回路基板から延出された配線を結束している状態を示す部分拡大斜視図、（ｂ）は結束部の結束本体部を係合孔に係合させた状態を正面から見た部分拡大斜視図、（ｃ）は（ｂ）の係合状態を裏側から見た部分拡大斜視図、（ｄ）は配線を結束している状態の部分拡大斜視図。
【符号の説明】
【００４４】
Ａ  本体枠
３  透明板保持枠
１０  本体部
１１  装飾パネル
１１ａ  中央開口部（装飾パネルの中央開口部）
１５  回路基板
１６  絶縁部材
２４  結束部
２７  突出係合部
２８  係合孔
２９  配線収容空間
３０  配線
３１  ベースパネル
３１ａ  中央開口部（ベースパネルの中央開口部）
３２  補強部材
３８  透明板取付枠
【図１】
0004676312.tif 000002
【図２】
0004676312.tif 000003
【図３】
0004676312.tif 000004
【図４】
0004676312.tif 000005
【図５】
0004676312.tif 000006
【図６】
0004676312.tif 000007